(57)【要約】      （修正有）【課題】一呼吸ごとに副交感神経活動の素早い働きを数量的に評価する。【解決手段】一呼吸に対応する呼吸周期の逆数を周波数とする成分を計算して、そのパワーを心拍周波数と呼吸の相関性を示す値とし、副交感神経活動の強さとする。副交感神経活動は身体の特定の器官に一種のリラックス状態を与える働きがあると考えられ、この神経活動は迅速に働く特徴があり、この活動を一呼吸毎に評価できれば、健康器具器具等を使用したとき、身体へのリラックス効果の評価が可能となる。【選択図】  図３
2005319256.tif 000002
【特許請求の範囲】
【請求項１】
呼吸のタイミングと心電図を計測するとき、呼吸性洞性不整脈（ＲＳＡ）を、一呼吸毎に、その時の心拍周波数変動と呼吸周期との相関として、心拍周波数変動の呼吸周波数成分量を算出し、この算出量をその呼吸周期の時間帯における副交感神経活動指標とすることを特徴とする評価法。
【発明の詳細な説明】
【発明の詳細な説明】
【技術分野】
【０００１】心臓に関わる自律神経系の活動評価のうち、特に副交感神経活動の評価に関わる技術分野
【背景技術】
【０００２】  従来の方法は、身体が定常的な状態にある時に、心電図のＲ波のピーク時間間隔を求め、この間隔から心拍周波数を算出する。この心拍周波数のペクトル分析を行い、高周波成分（ＨＦ成分）の多寡により副交感神経活動を評価している。この高周波成分とは、呼吸周波数に等しい周波数成分であり、呼吸性洞性不整脈による影響であることが知られている。副交感神経が活発になると、呼吸性洞性不整脈（ＲＳＡ）が顕著になり、心拍周波数が呼吸の影響を強く受けるようになる。【０００３】  これに対して、交感神経活動は、比較的ゆっくりと働くために、この評価には、長時間の安定的な状態が必要である。副交感神経は、素早く働く性質があるが、医学や生理学の分野では、この交感神経活動と共に評価されることが多いため、ほとんど、長時間の安定的な状態でしか議論されなかった。このため、短時間に変動する様子を調べるための副交感神経活動の定量的な評価法はなかった。
【発明の開示】
【発明が解決しようとする課題】
【０００４】  副交感神経活動は、本来、素早く働く自律神経系の働きであり、その働きを調べるには、短い時間単位で評価する必要がある。しかしながら、これまでは、心拍周波数の揺らぎをスペクトル分析法で評価する方法しかなく、有効なスペクトル解析を行うために、比較的長い時間における平均値的な評価しか出来なかった。
このため、一呼吸ごとに、副交感神経活動を評価できる手法を開発する。
【課題を解決するための手段】
【０００５】  心電図から、一心拍毎にＲ波のピーク時間を読みとり、このＲ波のピーク時間から一心拍ごとの心拍周期から心拍周波数を計算する。このとき、心拍周波数は一心拍ごとに定まるため、時間的に飛び飛びの値となる。この飛び飛びの値の間を補間して、任意の時間における心拍周波数を定義する。また、呼吸周期も同時に計測し、一呼吸周期に相当する時間帯を切り出して、この時間帯の心拍周波数の揺らぎとこの呼吸周期との関係を次のように調べる。
この切り出した時間帯は、そのときの一呼吸に要した時間で、その逆数は呼吸周波数である。この時間帯における心拍周波数の変動成分のうち、この呼吸周波数と等しい周波数成分のパワーを計算する。そして、計算されたパワーを一呼吸時間における副交感神経活動指標とする。
【発明の効果】
【０００６】  ごく単純化していえば、副交感神経活動は身体の特定の器官に一種のリラックス状態を与える働きがあると考えられる。また、この神経活動は迅速に働く特徴があり、この活動を一呼吸毎に評価できれば、健康器具器具等を使用したとき、身体へのリラックス効果の評価が可能となる。この他、人にリラックス感を与えることを目的とした商品の効能について、副交感神経活動から見た評価が可能となる。
【発明を実施するための最良の形態】
【０００７】  本発明は、一呼吸毎に副交感神経活動を評価することができることから、使用時の副交感神経活動の状況を計測することができる。また、これらのデータを蓄積することにより、副交感神経活動の年齢的な特性や、個人特有のパターンなどが明らかになり、これを踏まえた適切なサービスをフィードバックさせることができる。  具体的な例としては、呼吸開始時間を計測する装置器具を有し、Ｒ波のピーク時間を何らかの方法で計測できる装置を有する製品を開発することにより、一呼吸ごとに副交感神経活動を評価する機能を持たせることが出来る。副交感神経活動は、一種のリラックス状態を評価する指標でもあるので、このような製品を利用している時のリラックス状態を評価して、この時の心身の状態に適した身体刺激を与える機能を持つ製品を開発することができる。このとき、利用者の年齢や病歴などを事前に考慮して装置を調整する必要がある。
【実施例】
【０００８】  以下、本発明を実施例によって具体的に説明する。呼吸性洞性不整脈は吸気中に心拍周波数が多くなり、呼気中に心拍周波数が小さくなる現象である。
図１は心電図と呼吸の計測結果を示したものである。呼吸開始は、吸気からはじまり、グラフに表示された呼吸曲線の値が極小となった時間であり、吸気は次の呼吸曲線が極大となったところで終了する。この時点から呼気が開始され、次の曲線が極小値になる時刻に呼気が終了する。これが、１呼吸のサイクルである。
図１から分かるように、吸気時のＲ波は、ピーク同士の間隔が狭く、呼気時のＲ波ピーク同士の間隔は広くなっている。この現象が呼吸性洞性不整脈である。この現象を定量的に評価するために、Ｒ波のピーク同士の中点を心拍周波数とする。この心拍周波数は黒点で表したように飛び飛びの値となるが、図２のように、この黒点の間にスプライン補間を行うと、心拍周波数の変動を、連続的に表すことができる。【０００９】  次に、この求めた心拍周波数と呼吸との相関性を次のように計算する。心拍周波数成分は一呼吸の間にも変化している。この変化している心拍周波数は、色々な周波数成分を持っている。このうち、この一呼吸に対応する呼吸周期の逆数を周波数とする成分を計算して、そのパワーを心拍周波数と呼吸の相関性を示す値とする。図３に示すように、このように計算された相関性を副交感神経活動の強さとする。
【産業上の利用可能性】
【００１０】  今日、健康効果を持つ製品や、ストレス状態におかれた人に何らかの癒しをもたらす製品が注目されている。しかしながら、健康状態は、年齢や病歴などの個人の特性が関わる部分が大きい。また、ストレス状態に対する対処法の種類は、個人の特性のほか、その時の生理的な状態によって微妙に異なる。
この発明は、人間の生理学的な知見をデータベース化して、これとコンピューター制御技術とを組み合わせることにより、個人の特性や、使用するときの状態に合わせた個別的なサービスを提供できる可能性がある。
【図面の簡単な説明】
【００１１】
【図１】呼吸性洞性不整脈（ＲＳＡ）の内容を示す。呼吸性洞性不整脈とは、吸気時に、心拍が早くなり、呼気時に心拍が遅くなる生理現象のことである。
【図２】心電図から、心拍周波数を計算する方法を示す。隣合うＲ波のピークから、心拍周期を算出して、このＲ波の中間地点の心拍周波数を計算する。これらの飛び飛びの値をスプライン補間して、任意の時間での心拍周波数を求める。
【図３】副交感神経を評価する方法をしめす。心拍周波数と呼気量比曲線との関係から、呼吸性洞性不整脈を定量的に評価している。
【図１】
2005319256.tif 000003
【図２】
2005319256.tif 000004
【図３】
2005319256.tif 000005